【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
遊技球が入球可能なゲートと、
前記ゲートへの遊技球の入球を検知する第１の入球検知手段と、
前記第１の入球検知手段によって遊技球が検知されることにより、普通図柄の当り抽選を行う普通図柄当り抽選手段と、
前記普通図柄の当り抽選に当選したことにより、遊技球が入球し易い状態へ動作する電動開閉手段と、
前記電動開閉手段を動作させる電動手段を制御する動作制御手段と、
前記電動開閉手段への遊技球の入球により、遊技球の入球が可能となる作動契機手段と、
前記作動契機手段へ入球した遊技球によって機械的に動作する非電動開閉手段と、
前記非電動開閉手段への遊技球の入球を検知する第２の入球検知手段と、
前記第２の入球検知手段によって遊技球が検知されることにより、特別図柄の当り抽選を行う特別図柄当り抽選手段と、
前記特別図柄当り抽選手段の抽選結果を導出する特別図柄変動ゲームをゲーム実行手段に実行させるゲーム制御手段と、
前記当り抽選の当選対象となる前記特別図柄変動ゲームの終了後、遊技者にとって有利な有利状態を生起させる有利状態生起手段と、
演出実行手段における特定演出の実行を制御する特定演出制御手段と、を備え、
前記非電動開閉手段は、開放してから予め決められた規定個数の遊技球が入球することによって閉鎖し、
前記特定演出制御手段は、前記電動開閉手段の状態を示唆する演出内容の特定演出を実行させることを特徴とする遊技機。
【請求項２】
前記電動開閉手段、及び前記非電動開閉手段とは別に設けられた始動入球手段と、
前記始動入球手段への遊技球の入球を検知する第３の入球検知手段と、をさらに備え、
前記特別図柄当り抽選手段は、前記第３の入球検知手段によって遊技球が検知されることにより、前記特別図柄の当り抽選を行い、
前記有利状態生起手段は、前記非電動開閉手段へ入球した遊技球が前記第２の入球検知手段によって検知されることにより行われる前記特別図柄の当り抽選に当選する場合には、前記始動入球手段へ入球した遊技球が前記第３の入球検知手段によって検知されることにより行われる前記特別図柄の当り抽選に当選する場合よりも遊技者にとって有利な有利状態を生起させ易いことを特徴とする請求項１に記載の遊技機。
【請求項３】
前記特定演出制御手段は、前記普通図柄の当り抽選に当選することによって前記電動開閉手段が動作するよりも前に前記特定演出を実行させることを特徴とする請求項１又は請求項２に記載の遊技機。
【請求項４】
前記電動開閉手段の動作を制御する際に用いられる複数種類の開閉パターンを記憶する開閉パターン記憶手段を備え、
前記複数種類の開閉パターンには、前記電動開閉手段の開放状態と閉鎖状態を所定の反復回数だけ繰り返す態様で前記電動開閉手段の動作を制御することを定めた開閉パターンを含み、
前記動作制御手段は、前記複数種類の開閉パターンから選択された開閉パターンにしたがって前記電動開閉手段の動作を制御することを特徴とする請求項１〜請求項３のうち何れか一項に記載の遊技機。
【請求項５】
前記非電動開閉手段への遊技球の入球を契機に、予め決められた保留上限数まで特別図柄変動ゲームの実行権利を保留可能なゲーム保留手段を備え、
前記ゲーム制御手段は、前記ゲーム保留手段に前記特別図柄変動ゲームの実行権利が保留されている場合に、当該実行権利に基づく前記特別図柄変動ゲームの実行を制御可能となっており、
前記非電動開閉手段への遊技球の入球を契機とする前記特別図柄変動ゲームの時間を、前記電動開閉手段の開放状態と閉鎖状態を繰り返す態様で前記電動開閉手段の動作が制御される際に前記電動開閉手段が開放状態となってから次に開放状態となるまでの時間及び前記保留上限数と一定の関係性を有する時間とすることを特徴とする請求項４に記載の遊技機。
【手続補正２】
【補正対象書類名】明細書
【補正対象項目名】０００６
【補正方法】変更
【補正の内容】
【０００６】
上記課題を解決する遊技機は、遊技球が入球可能なゲートと、前記ゲートへの遊技球の入球を検知する第１の入球検知手段と、前記第１の入球検知手段によって遊技球が検知されることにより、普通図柄の当り抽選を行う普通図柄当り抽選手段と、前記普通図柄の当り抽選に当選したことにより、遊技球を入球させ易い状態へ動作する電動開閉手段と、前記電動開閉手段を動作させる電動手段を制御する動作制御手段と、前記電動開閉手段への遊技球の入球により、遊技球の入球が可能となる作動契機手段と、前記作動契機手段へ入球した遊技球によって機械的に動作する非電動開閉手段と、前記非電動開閉手段への遊技球の入球を検知する第２の入球検知手段と、前記第２の入球検知手段によって遊技球が検知されることにより、特別図柄の当り抽選を行う特別図柄当り抽選手段と、前記特別図柄当り抽選手段の抽選結果を導出する特別図柄変動ゲームをゲーム実行手段に実行させるゲーム制御手段と、前記当り抽選の当選対象となる前記特別図柄変動ゲームの終了後、遊技者にとって有利な有利状態を生起させる有利状態生起手段と、演出実行手段における特定演出の実行を制御する特定演出制御手段と、を備え、前記非電動開閉手段は、開放してから予め決められた規定個数の遊技球が入球することによって閉鎖し、前記特定演出制御手段は、前記電動開閉手段の状態を示唆する演出内容の特定演出を実行させることを特徴とする。
【手続補正３】
【補正対象書類名】明細書
【補正対象項目名】０００７
【補正方法】変更
【補正の内容】
【０００７】
上記遊技機について、前記電動開閉手段、及び前記非電動開閉手段とは別に設けられた始動入球手段と、前記始動入球手段への遊技球の入球を検知する第３の入球検知手段と、をさらに備え、前記特別図柄当り抽選手段は、前記第３の入球検知手段によって遊技球が検知されることにより、前記特別図柄の当り抽選を行い、前記有利状態生起手段は、前記非電動開閉手段へ入球した遊技球が前記第２の入球検知手段によって検知されることにより行われる前記特別図柄の当り抽選に当選する場合には、前記始動入球手段へ入球した遊技球が前記第３の入球検知手段によって検知されることにより行われる前記特別図柄の当り抽選に当選する場合よりも遊技者にとって有利な有利状態を生起させ易いことが好ましい。
【手続補正４】
【補正対象書類名】明細書
【補正対象項目名】０００８
【補正方法】変更
【補正の内容】
【０００８】
上記遊技機について、前記特定演出制御手段は、前記普通図柄の当り抽選に当選することによって前記電動開閉手段が動作するよりも前に前記特定演出を実行させることが好ましい。
【手続補正５】
【補正対象書類名】明細書
【補正対象項目名】０００９
【補正方法】変更
【補正の内容】
【０００９】
上記遊技機について、前記電動開閉手段の動作を制御する際に用いられる複数種類の開閉パターンを記憶する開閉パターン記憶手段を備え、前記複数種類の開閉パターンには、前記電動開閉手段の開放状態と閉鎖状態を所定の反復回数だけ繰り返す態様で前記電動開閉手段の動作を制御することを定めた開閉パターンを含み、前記動作制御手段は、前記複数種類の開閉パターンから選択された開閉パターンにしたがって前記電動開閉手段の動作を制御することが好ましい。
【手続補正６】
【補正対象書類名】明細書
【補正対象項目名】００１０
【補正方法】変更
【補正の内容】
【００１０】
上記遊技機について、前記非電動開閉手段への遊技球の入球を契機に、予め決められた保留上限数まで特別図柄変動ゲームの実行権利を保留可能なゲーム保留手段を備え、前記ゲーム制御手段は、前記ゲーム保留手段に前記特別図柄変動ゲームの実行権利が保留されている場合に、当該実行権利に基づく前記特別図柄変動ゲームの実行を制御可能となっており、前記非電動開閉手段への遊技球の入球を契機とする前記特別図柄変動ゲームの時間を、前記電動開閉手段の開放状態と閉鎖状態を繰り返す態様で前記電動開閉手段の動作が制御される際に前記電動開閉手段が開放状態となってから次に開放状態となるまでの時間及び前記保留上限数と一定の関係性を有する時間とすることが好ましい。